(57)【要約】      （修正有）【課題】ラックの棚板を確実にフレームに固定するための係合構造を提供する。【解決手段】係合構造１０は、掛け部材１１と、固定部材１２と、ボルト１３とを有し、掛け部材は、中心に貫通穴１１０が形成され、一側に弧状のフック１１１が外側に向かって湾曲延出され、内側面におけるフックの近傍に当接リブ１１２が凸設され、固定部材は、中心に固定穴１２０が形成され、ボルトは、掛け部材の外側から貫通穴及び固定部材の固定穴を通過するように、掛け部材及び固定部材を固定する。棚板３０を穏やかに縦棒体２１０と横棒体２１１を備えるＨ字型のスタンド仕組み２１を含むフレームに組み合せることができる。【選択図】図４
0003215132.tif 000002
【実用新案登録請求の範囲】
【請求項１】
中心に貫通穴が形成され、一側に弧状のフックが外側に向かって湾曲延出され、内側面におけるフックの近傍に当接リブが凸設される、掛け部材と、
中心に固定穴が形成される固定部材と、
前記掛け部材の外側から貫通穴及び固定部材の固定穴を通過するように、該掛け部材及び固定部材を固定するボルトとを有することを特徴とする係合構造。
【請求項２】
前記掛け部材の上縁及び下縁にそれぞれ、突出縁が内側に向かって延設されることを特徴とする請求項１に記載の係合構造。
【請求項３】
前記固定部材の固定穴は、ネジ穴であることを特徴とする請求項１に記載の係合構造。
【請求項４】
前記固定部材におけるフックの近傍に逃がし口が凹設されることを特徴とする請求項１乃至３の何れか１項に記載の係合構造。
【請求項５】
請求項１乃至３の何れか１項に記載の係合構造を備えるラックであって、
前記ラックは、フレーム及び複数の棚板を有し、
そのうち、フレームは、２つのスタンド仕組み及び、少なくとも１つの連接仕組みを有し、該２つのスタンド仕組みは、間隔におい配置され、該各スタンド仕組みは、２本の縦棒体及び、複数の横棒体を備え、該２本の縦棒体が相対するように間隔をおいて設置され、該複数の連接仕組みはそれぞれ、上下に間隔をおいて２本の横棒体の間に取り付けられ、
前記複数の棚板は、格子状を呈し、２つのスタンド仕組みの間に組み立てられ、該各棚板の４つの隅角にそれぞれ、係合構造が取り付けられ、該係合構造の掛け部材が棚板の一側の側縁に対応し、該当接リブが棚板の該一側の側縁に当接され、該フックが隣り合う縦棒体に掛止され、該固定部材が掛け部材に対応するように棚板の内側に取り付けられ、該ボルトが掛け部材の外側から貫通穴及び固定部材の固定穴に貫設される、ことを特徴とする係合構造を備えるラック。
【請求項６】
請求項１乃至２の何れか１項に記載の係合構造を備えるラックであって、
前記ラックは、フレーム及び複数の棚板を有し、
そのうち、フレームは、２つのスタンド仕組み及び、少なくとも１つの連接仕組みを備え、該２つのスタンド仕組みは、間隔におい配置され、該各スタンド仕組みは、２本の縦棒体及び、複数の横棒体を備え、該２本の横棒体が相対するように間隔をおいて設置され、該複数の連接仕組みはそれぞれ、上下に間隔をおいて該２本の横棒体の間に取り付けられ、
前記複数の棚板はそれぞれ、ボード状を呈し、２つのスタンド仕組みの間に組み立てられ、該各棚板の４つの隅角にそれぞれ、ネジ穴が形成され、該各ネジ穴に係合構造が取り付けられ、該係合構造の掛け部材が棚板の一側の側縁に対応し、該固定部材が掛け部材の内側と棚板との間に当接され、該掛け部材の当接リブが固定部材に当接され、該ボルトが掛け部材の外側から貫通穴及び固定部材の固定穴に貫設されて棚板のネジ穴に螺合される、ことを特徴とする係合構造を備えるラック。
【考案の詳細な説明】
【技術分野】
【０００１】
本考案は、特にラックの棚板を確実にフレームに固定するための係合構造に関するものである。
【背景技術】
【０００２】
既存の自分で組み立てられるラックは、例えば、３段ラックや、５段ラックを組み立てる場合、使用者が部材を用いてフレームを組み立てて、棚板を掛けると、ラックを完成して収納機能を提供する。
【考案の概要】
【考案が解決しようとする課題】
【０００３】
しかしながら、既存のラックにおける棚板は、固定または係合するための構造を有しないため、そのままフレームに掛けると、取り外しやすくて、不注意にぶつかったら、棚板がずれたり落ちたりする虞があり、使用上に危険であるので、改良する必要があった。
【課題を解決するための手段】
【０００４】
本考案に係る係合構造は、
中心に貫通穴が形成され、一側に弧状のフックが外側に向かって湾曲延出され、内側面におけるフックの近傍に当接リブが凸設される、掛け部材と、
中心に固定穴が形成される固定部材と、
前記掛け部材の外側から貫通穴及び固定部材の固定穴を通過するように、該掛け部材及び固定部材を固定するボルトとを有するものである。
【０００５】
かかる係合構造において、前記掛け部材の上縁及び下縁にそれぞれ、突出縁が内側に向かって延設されることが好ましい。
【０００６】
かかる係合構造において、前記固定部材の固定穴は、ネジ穴であることが好ましい。
【０００７】
かかる係合構造において、前記固定部材におけるフックの近傍に逃がし口が凹設されることが好ましい。
【０００８】
本考案に係る係合構造を備えるラックは、
フレーム及び複数の棚板を有し、
そのうち、フレームは、２つのスタンド仕組み及び、少なくとも１つの連接仕組みを有し、該２つのスタンド仕組みは、間隔におい配置され、該各スタンド仕組みは、２本の縦棒体及び、複数の横棒体を備え、該２本の縦棒体が相対するように間隔をおいて設置され、該複数の連接仕組みはそれぞれ、上下に間隔をおいて２本の横棒体の間に取り付けられ、
前記複数の棚板は、格子状を呈し、２つのスタンド仕組みの間に組み立てられ、該各棚板の４つの隅角にそれぞれ、係合構造が取り付けられ、該係合構造の掛け部材が棚板の一側の側縁に対応し、該当接リブが棚板の該一側の側縁に当接され、該フックが隣り合う縦棒体に掛止され、該固定部材が掛け部材に対応するように棚板の内側に取り付けられ、該ボルトが掛け部材の外側から貫通穴及び固定部材の固定穴に貫設されるものである。
【０００９】
さらに、本考案に係る係合構造を備えるラックは、
フレーム及び複数の棚板を有し、
そのうち、フレームは、２つのスタンド仕組み及び、少なくとも１つの連接仕組みを備え、該２つのスタンド仕組みは、間隔におい配置され、該各スタンド仕組みは、２本の縦棒体及び、複数の横棒体を備え、該２本の横棒体が相対するように間隔をおいて設置され、該複数の連接仕組みはそれぞれ、上下に間隔をおいて該２本の横棒体の間に取り付けられ、
前記複数の棚板はそれぞれ、ボード状を呈し、２つのスタンド仕組みの間に組み立てられ、該各棚板の４つの隅角にそれぞれ、ネジ穴が形成され、該各ネジ穴に係合構造が取り付けられ、該係合構造の掛け部材が棚板の一側の側縁に対応し、該固定部材が掛け部材の内側と棚板との間に当接され、該掛け部材の当接リブが固定部材に当接され、該ボルトが掛け部材の外側から貫通穴及び固定部材の固定穴に貫設されて棚板のネジ穴に螺合されるものである。
【考案の効果】
【００１０】
本考案に係る係合構造は、主に掛け部材に当接リブが設けられることから、組み立てる時、係合構造が当接リブを介して棚板または固定部材に当接されるため、フックを外側へ押圧して移動させることにより、フックが確実に縦棒体に押し付けられ、また、棚板の４つの隅角にそれぞれ係合構造を介してフレームに係合されることから、棚板を穏やかにフレームに組み合せ、棚板を取り外しにくく、不注意でぶつかってもずれたり落ちたりすることはなく、安全性を向上させると共に、棚板を確実にフレームに組み合せることができる。
【図面の簡単な説明】
【００１１】
【図１】本考案に係る係合構造を備えるラックの斜視図である。
【図２】本考案に係る係合構造の実施例の分解斜視図である。
【図３】本考案に係る係合構造を備えるラックの実施例において、係合構造が縦棒体に取り付けられた状態を示す部分拡大斜視図である。
【図４】図３の部分分解斜視図である。
【図５】図３の部分断面図である。
【図６】本考案に係る係合構造の他の実施例の分解斜視図である。
【図７】本考案に係る係合構造を備えるラックの他の実施例において、係合構造が縦棒体に取り付けられた状態を示す部分拡大斜視図である。
【図８】図７の分解斜視図である。
【図９】図７の部分断面図である。
【考案を実施するための形態】
【００１２】
図１、図２及び図６に示すように、本考案に係る係合構造１０は、棚板２０、３０Ａを確実にフレーム２０に固定するためのものであり、使用する時、それぞれが棚板３０．３０Ａの４つの隅角に取り付けることにより、棚板３０．３０Ａをフレーム２０に組み合せる。
【００１３】
本考案に係る係合構造１０の実施例は、図２に示すように、掛け部材１１と、固定部材１２と、ボルト１３を備え、該掛け部材１１は、矩形を呈する薄い板であり、中心に貫通穴１１０が形成され、一側に、フック１１１が外側に向かって湾曲延設され、内面におけるフック１１１の近傍に縦方向の当接リブ１１２が凸設される。また、前記掛け部材１１における上部及び下部にそれぞれ、突出縁１１４が内側へ延設されることが好ましい。
【００１４】
前記固定部材１２は、矩形の薄い板であり、上下方向の広幅が掛け部材１１の２つの突出縁１１４との距離より略小さく設定し、中心に穴が形成され、本実施例における穴は、固定穴１２０であることが好ましい。前記固定部材１２におけるフック１１１側に、さらに逃がし口１２１が形成される。前記ボルト１３は、掛け部材１１の外側から貫通穴１１０を通して固定部材１２の固定穴１２０に螺合される。
【００１５】
本考案に係る係合構造１０の他の実施例は、図６に示すように、殆ど図２の実施例と同一であるが、以下の点において異なる。本実施例における固定部材１２Ａは、矩形を呈し、フック１１１における側に逃がし口を有しないと共に、中心に形成された固定穴１２０Ａがネジ穴ではない。
【００１６】
本考案に係る係合構造を備えるラックの実施例は、図１及び図２に示すように、フレーム２０及び複数の棚板３０を有し、そのうち、フレーム２０は、２つのＨ字形のスタンド仕組み２１及び、少なくとも１つのＸ字形の連接仕組み２２を備え、該各スタンド仕組み２１は、Ｈ字形を呈するように直立状態で設置され、２本の縦棒体２１０及び複数本の横棒体２１１を備え、該２本の縦棒体２１０は、相対するように直立状態に設置され、該複数本の横棒体２１１は、上下方向に間隔をおいて２本の縦棒体２１０の間に取り付けられる。
【００１７】
そのうち、本実施例における、２本の縦棒体２１０は、間隔を隔て隣り合った２本の円柱体であり、複数本の横棒体２１１はそれぞれ、２本の縦棒体２１０を連接するように、該２本の縦棒体２１０との間に取り付けられる。本実施例における連接仕組み２２は、交差に固定された２本のリングからなり、該２本のリングはそれぞれ、隣り合った縦棒体２１０に固定され、２つのスタンド仕組み２１を確実に組み立てることができる。
【００１８】
前記複数の棚板３０は、格子状のプレートであってもよく、該棚板３０をフレーム２０に取り付ける場合、該各棚板３０における４つの隅角にそれぞれ、図２に示した係合構造１０を取り付けてから、該棚板３０を２つのスタンド仕組み２１の間に設置し、この後係合構造１０により該棚板３０を縦棒体２１０に固定結合する。該係合構造１０を該棚板３０に組み立てる場合は、図３乃至図５に示すように、まず係合構造１０の掛け部材１１が棚板３０の一側の側縁に対応して棚板３０を２つの突出縁１１４の間に位置させるように取り付けられ、この時、当接リブ１１２が棚板３０の該一側の側縁に当接され、該フック１１１が隣り合う縦棒体２１０に掛止され、該固定部材１２が掛け部材１１に対応するように棚板３０の内側に取り付けられ、該逃がし口１２１に棚板３０の横棒を収容し、該ボルト１３が掛け部材１１の外側から貫通穴１１０を通して固定部材１２の固定穴１２０に螺合されると、組み立てが完成である。
【００１９】
この時、図５に示すように、ボルト１３を締め付けると、当接リブ１１２が棚板３０の側縁に当接されることから、掛け部材１１が棚板３０に対してやや斜め外側に移動すると共に、フック１１１もやや斜め外側に移動する。この構成によれば、フック１１１が確実に縦棒体２１０に掛止することができる。
【００２０】
本考案に係る係合構造を備えるラックの他の実施例は、図１、図６乃至図９に示すように、殆ど図１乃至図５に示した実施例と同一であるが、以下の点において異なる。その棚板３０Ａは、ボード状を呈し、４つの隅角にそれぞれネジ穴３１Ａが形成される。また、本実施例のラックは、図６に示した係合構造１０を用いて棚板３０Ａをラックのフレームに装着し、固定部材１２Ａが掛け部材１１の内側と棚板３０Ａとの間に取り付けられ、当接リブ１１２が固定部材１２Ａに当接され、ボルト１３が掛け部材１１の外側から貫通穴１１０及び固定部材１２Ａの固定穴１２０Ａを通して棚板３０のネジ穴３１Ａに螺合される。この時、図９に示すように、ボルト１３を締め付けると、当接リブ１１２が固定部材１２Ａに当接されることから、掛け部材１１が固定部材１２Ａに対してやや斜め外側に移動すると共に、フック１１１もやや斜め外側に移動する。この構成によれば、フック１１１が確実に縦棒体２１０に掛止することができる。
【００２１】
本考案に係る係合構造１０は、主に掛け部材１１に当接リブ１１２が設けられることから、組み立てる時、係合構造１０が当接リブ１１２を介して棚板３０または固定部材１２Ａに当接されるため、フック１１１を外側へ押圧して移動させることにより、フック１１１が確実に縦棒体２１０に押し付けられ、また、棚板３０の４つの隅角にそれぞれ係合構造１０を介してフレーム２０に係合されることから、棚板３０を穏やかにフレーム２０に組み合せ、棚板３０を簡単に取り外したり、不注意でぶつかったら、ずれたり落ちたりすることはなく、安全性を向上させると共に、棚板３０を確実にフレーム２０に組み合せる効果に優れる。
【符号の説明】
【００２２】
１０               係合構造
１１               掛け部材
１１０             フック
１１１             貫通穴
１１２             当接リブ
１１４             突出縁
１２               固定部材
１２０、１２０Ａ    固定穴
１２１             逃がし口
１３               ボルト
２０               フレーム
２１               スタンド仕組み
２１０             縦棒体
２１１             横棒体
２２               連接仕組み
３０、３０Ａ        棚板
３１Ａ             ネジ穴
【図１】
0003215132.tif 000003
【図２】
0003215132.tif 000004
【図３】
0003215132.tif 000005
【図４】
0003215132.tif 000006
【図５】
0003215132.tif 000007
【図６】
0003215132.tif 000008
【図７】
0003215132.tif 000009
【図８】
0003215132.tif 000010
【図９】
0003215132.tif 000011